(57)【要約】【課題】撮影者の撮影の自由度を高めることができる撮像装置を提供すること。【解決手段】撮像装置本体への取り付け部を有し撮像装置本体に対して着脱可能なハンドルである。ハンドルには複数のアクセサリー接続部が設けられている。ハンドルは前後１８０度回転して取り付けることが可能である。上記構造を有するハンドルにおいて複数のアクセサリー接続部は、ハンドルの撮像装置本体への接続部に対して非対称に配置されている。【選択図】図３ｄ
2016128851.tif 000002
【特許請求の範囲】
【請求項１】
撮像装置本体と、前記撮像装置本体に着脱可能なアクセサリー取り付け部品と、前記アクセサリー取り付け部品に対して着脱可能なハンドルと、前記ハンドルには複数の外付け部品接続部が設けられているような構成の撮像装置において、
前記ハンドルは前記アクセサリー取り付け部品に対して前後逆転して取り付け可能であり、かつ、前記ハンドルに設けられた前記複数の外付け部品接続部が前記ハンドルと前記アクセサリー取り付け部品との接続部に対してそれぞれの距離が異なるように配置されていることを特徴とする撮像装置。
【請求項２】
前記外付け部品接続部は、表示ユニットを接続可能であることを特徴とする請求項１に記載の撮像装置。
【請求項３】
前記外付け部品接続部は、アクセサリーシューで構成されていることを特徴とする請求項１に記載の撮像装置。
【発明の詳細な説明】
【技術分野】
【０００１】
本発明は、本体に着脱可能に取り付けられたハンドルを備える撮像装置に関する。
【背景技術】
【０００２】
図８ａ、ｂ、ｃに示すようなハンドルユニットが撮像装置本体に対して着脱可能な業務用の撮像装置が存在する（特許文献１）。図８ｃに示すようにそのような撮像装置ではハンドルユニットに表示ユニットを装着し、撮影者は表示ユニットを確認しながら撮影を行う。
【先行技術文献】
【特許文献】
【０００３】
【特許文献１】特開２０１３−９７１１６号公報
【発明の概要】
【発明が解決しようとする課題】
【０００４】
しかし、図８ａ〜ｃに示すハンドルユニットは撮像装置本体に一意にしか取り付けられず、表示ユニット取り付け位置も限定されるため、撮影者が表示ユニットの光軸方向及び高さ方向の位置を調整しづらく撮影の自由度が上がらないという問題がある。
【０００５】
本発明の目的は、図８ａ、ｂ、ｃに示すようなハンドルユニットが撮像装置本体に対して着脱可能でありハンドルユニットに表示ユニットを装着して撮影者が撮影を行うような業務用の撮像装置において、撮影者が表示ユニットの位置を調整しやすく撮影の自由度が高まるような構造を有する撮像装置を提供することにある。
【課題を解決するための手段】
【０００６】
上記の目的を達成するために、本発明の撮像装置は、撮像装置本体に対して前後１８０度回転して２通りの取り付けが可能であり、かつ、ハンドルユニットに設けられた表示ユニットを取り付け可能な複数の表示ユニット取り付け部がいずれも、ハンドルユニットの撮像装置への取り付け位置中心に対して非対称に配置されることを特徴とする。
【発明の効果】
【０００７】
本発明によれば、従来のハンドルユニットよりも表示ユニットの取り付け寸法が複数選択可能になるため、撮影者の撮影の自由度を高めることができる撮像装置の提供を実現できる。
【図面の簡単な説明】
【０００８】
【図１ａ】撮像装置本体の斜視図
【図１ｂ】撮像装置本体の斜視図
【図２ａ】アクセサリー取り付け部品の外観斜視図
【図２ｂ】アクセサリー取り付け部品の外観斜視図
【図２ｃ】アクセサリー取り付け部品を撮像装置の底面側から見た図
【図３ａ】実施例の把持部材の外観斜視図
【図３ｂ】実施例の把持部材の外観斜視図
【図３ｃ】実施例の把持部材を撮像装置底面側から見た外観斜視図
【図３ｄ】実施例の把持部材を第一の操作部群１３側から見た側面図
【図４ａ】表示ユニットの外観斜視図
【図４ｂ】表示ユニットの外観斜視図
【図５ａ】撮像装置本体にアクセサリー取り付け部品を取り付ける際の様子を示した斜視図
【図５ｂ】撮像装置本体にアクセサリー取り付け部品を取り付けた後の様子を示した斜視図
【図５ｃ】撮像装置本体にアクセサリー取り付け部品を取り付けた後の様子を天面側から見た図
【図５ｄ】撮像装置本体にアクセサリー取り付け部品を取り付けた後の様子を正面から見た図
【図５ｅ】図４ｃのＣ−Ｃ’断面図
【図５ｆ】図４ｄのＤ−Ｄ’断面図
【図５ｇ】図４ｄのＥ−Ｅ’断面図
【図６ａ】撮像装置本体にアクセサリー取り付け部品が接続された状態で、把持部材を取り付ける際の様子を示した斜視図
【図６ｂ】撮像装置本体にアクセサリー取り付け部品が接続された状態で、把持部材を取り付けた後の様子を示した斜視図
【図６ｃ】撮像装置本体にアクセサリー取り付け部品が接続された状態で、図６ｂに示した状態と前後１８０逆向きに把持部材を取り付けた後の様子を示した斜視図
【図７ａ】撮像装置本体にアクセサリー取り付け部品と把持部材を装着し、第一のアクセサリーシューに表示ユニットを装着した状態を示した斜視図
【図７ｂ】撮像装置本体にアクセサリー取り付け部品と把持部材を装着し、第二のアクセサリーシューに表示ユニットを装着した状態を示した斜視図
【図７ｃ】撮像装置本体にアクセサリー取り付け部品と把持部材を装着し、第三のアクセサリーシューに表示ユニットを装着した状態を示した斜視図
【図７ｄ】撮像装置本体にアクセサリー取り付け部品と前後１８０度逆転した把持部材を装着し、第三のアクセサリーシューに表示ユニットを装着した状態を示した斜視図
【図７ｅ】撮像装置本体にアクセサリー取り付け部品と前後１８０度逆転した把持部材を装着し、第二のアクセサリーシューに表示ユニットを装着した状態を示した斜視図
【図７ｆ】撮像装置本体にアクセサリー取り付け部品と前後１８０度逆転した把持部材を装着し、第一のアクセサリーシューに表示ユニットを装着した状態を示した斜視図
【図８ａ】先行例を示す図
【図８ｂ】先行例を示す図
【図８ｃ】先行例を示す図
【発明を実施するための形態】
【０００９】
以下、本発明の実施形態について説明する。
【００１０】
図１ａは撮像装置本体の前方から見た外観斜視図、図１ｂは撮像装置本体の後方斜視図である。図２ａはアクセサリー取り付け部品２の前方からの外観斜視図、図２ｂはアクセサリー取り付け部品２の後方からの外観斜視図、及び、図２ｃはアクセサリー取り付け部品２の下方からの外観正面図である。また、図３ａは本発明が実施された把持部材３の前方からの外観斜視図、図３ｂは前記把持部材３の後方からの外観斜視図、図３ｃは前記把持部材３の下方からの外観斜視図である。
【００１１】
図１ａ及び図１ｂに示すように、撮像装置１は、交換レンズを接続可能なマウント部１１と、図示されていない交換レンズが接続された際のロック機構を解除して交換レンズを取り外し可能にするレンズリリースボタン１２と、作業者が操作可能な第一の操作部群１３と、操作ボタン１１０と、操作ボタン１１１と、第二の操作部群１１２と、前記撮像装置１の電源ＯＦＦ及び撮影モードと再生モードとを切り換えるモード切り換えダイヤル１４と、図示されていない撮像素子の前後方向位置を示すメジャーピン１５と、ストラップを挿入可能な開口を有するストラップ取り付け金具１６１及び１６２と、を有する。
【００１２】
更に、接眼レンズを有する接眼ユニット１７と、前記接眼ユニット１７に設けられ前記接眼ユニット１７に接近するのを検出する近接センサー部１７１と、ネジ部１８１１を有するアクセサリー取り付け部品２との第一の接続部１８１と、ネジ部１８２１を有するアクセサリー取り付け部品２との第二の接続部１８２と、ネジ部１８３１を有するアクセサリー取り付け部品２との第三の接続部１８３と、を有する。
【００１３】
更に、強制空冷の吸気口１９と、撮影時の設定を表示する表示部１１３と、記録用のメディアを接続するメディアスロットを内部に有する第一のメディアスロット蓋部１１４１と、第二のメディアスロット蓋部１１４２と、前記撮像装置本体１に電源を供給するバッテリー接続部を内部に有するバッテリー蓋１１５と、撮影された画像および音声を外部に出力する端子及び電源のＤＣ入力端子が並ぶ接続端子群を保護する保護カバー群１１６と、強制空冷の排気口１１７と、図示されていない着脱可能なグリップを接続するグリップ接続部１１８と、を有する。
【００１４】
図２ａ、図２ｂ、図２ｃに示すように、アクセサリー取り付け部品２は、丸穴を有する第一のヘコ座２１１と、第二のヘコ座２１２と、第三のヘコ座２１３と、作業者がアクセサリーを取り付け可能な第一のネジ部２２１と、第二のネジ部２２２と、第三のネジ部２２３と、第四のネジ部２２４と、第五のネジ部２２５と、第六のネジ部２２６と、を有する。
【００１５】
更に、前記把持部材３を位置決めする丸穴形状のヘコ部２３１１とネジ部２３１２を有する第一の把持部材接続部２３１と、前記把持部材３を位置決めする長穴形状のヘコ部２３２１とネジ部２３２２を有する第二の把持部材接続部２３２と、丸穴２４１と、丸穴２４２と、前記撮像装置１の前記第一の接続部１８１と接触する面を有する第一接触部２５１と、前記撮像装置１の前記第二の接続部１８２と勘合する面２５２１及び面２５２２を有する第一の勘合部２５２、及び、前記撮像装置１の前記第三の接続部１８３と勘合する面２５３１及び面２５３２を有する第二の勘合部２５３、とを有する。
【００１６】
前記第一の勘合部２５２及び前記第二の勘合部２５３はいずれもＵ型の形状をしており前記面２５２１，２５２２，２５３１及び２５３２はいずれもストレートの面である。
【００１７】
前記面２５２１と前記面２５２２は前記第二の接続部１８２を挟み込むように勘合しており、前記面２５３１と前記面２５３２は前記第三の接続部１８３を挟む込むように勘合している。
【００１８】
前記第一の勘合部２５２と前記第二の接続部１８２は前記面２５２１及び前記面２５２２のみで勘合しそれ以外の面は接触をしていない。
【００１９】
同様に、前記第二の勘合部２５３と前記第三の接続部１８３は前記面２５３１及び前記面２５３２のみで勘合しそれ以外の面は接触をしていない。
【００２０】
また、前記丸穴形状のヘコ部２３１１及び前記長穴形状のヘコ部２３２１の中心はいずれも前記撮像装置１の光軸を含んだ垂直面内に存在する。かつ、前記丸穴形状の凹部２３１１の直径と前記長穴形状のヘコ部２３２１の幅寸法は等しい。
【００２１】
図３ａ、図３ｂ、図３ｃに示すように、把持部材３は、前記アクセサリー取り付け部品２との第一の接続部３１１と、第二の接続部３１２と、作業者がアクセサリーを取り付け可能な第五のネジ部３２１と、第六のネジ部３２２と、第七のネジ部３２３と、第八のネジ部３２４と、第九のネジ部３２５と、第十のネジ部３２６と、内側にネジ部を有する第一のアクセサリーシュー３３１と、内側にネジ部を有する第二のアクセサリーシュー３３２と、内側にネジ部を有する第三のアクセサリーシュー３３３と、を有する。
【００２２】
前記第一の接続部３１１は前記アクセサリー取り付け部品２の前記第一の把持部材接続部２３１に存在する前記ヘコ部２３１１に勘合する丸形のトツ部３１１１を有する。また、前記アクセサリー取り付け部品２の前記第一の把持部材接続部材２３１に存在する前記ネジ部２３１２に螺合するように締結部材が挿通される穴部３１１２を有する。
【００２３】
同様に、前記第二の接続部３１２は前記アクセサリー取り付け部品２の前記第二の把持部材接続部２３２に存在する前記ヘコ部２３２１に勘合する丸形のトツ部３１２１を有する。また、前記アクセサリー取り付け部品２の前記第二の把持部材接続部材２３２に存在する前記ネジ部２３２２に螺合するように締結部材が挿通される穴部３１２２を有する。
【００２４】
前記丸形のトツ部３１１１及び３１２１はその内外径はどちらも直径が同一である。つまり、前記トツ部３１１１は前記ヘコ部２３２１にも勘合し、前記トツ部３１２１は前記ヘコ部２３１１にも勘合することになり、前記把持部材３は前記アクセサリー取り付け部品２に対して前後１８０度回転させて２通りの取り付けが可能である。
【００２５】
合わせて、前記把持部材３の第一のアクセサリーシュー３３１、第二のアクセサリーシュー３３２、第三のアクセサリーシュー３３３の位置関係について図３ｄを用いて説明する。
【００２６】
図３ｄにおいて、一点鎖線Ｓ１は前記アクセサリー取り付け部品２と前記把持部材３の取り付け面上で前記トツ部３１１１と前記トツ部３１２１の中心を通る線である。また、一点鎖線Ｓ２は前記トツ部３１１１と前記トツ部３１２１の中心間を結んだ水平な線分の二等分線である。
【００２７】
各二点鎖線Ｔ１、Ｕ１、Ｖ１はそれぞれ前記アクセサリーシュー３３１，３３２，３３３の長手方向の中心線である。また、各二点鎖線Ｔ２、Ｕ２、Ｖ２はそれぞれ前記アクセサリーシュー３３１、３３２、３３３の天面を示す線である。
【００２８】
図３ｄに示すように、前記アクセサリーシュー３３１、３３２、３３３は前記一点鎖線Ｓ１からの垂直距離と前記一点鎖線Ｓ２からの水平距離がそれぞれ異なるように配置されている。特に前記アクセサリーシュー３３１と前記アクセサリーシュー３３３を比較すると、前記アクセサリーシュー３３３の方が前記一点鎖線Ｓ１、Ｓ２に対して近い位置に存在する。つまり、前記Ｓ１−Ｖ１間の距離は前記Ｓ１−Ｔ１間の距離に対して小さく、前記Ｓ２−Ｖ２間の距離は前記Ｓ２−Ｔ２間の距離に対して小さい。
【００２９】
よって、例えば、前記アクセサリーシュー３３１が前方にくるように前記把持部材３を前記アクセサリー取り付け部品２に取り付けて前記アクセサリーシュー３３１に表示ユニットを取り付けた場合と、前記アクセサリーシュー３３３が前方にくるように前記把持部材３を前記アクセサリー取り付け部品２に取り付けて前記アクセサリーシュー３３３に表示ユニットを取り付けた場合とでは、後者の方が表示ユニットが撮影者に近付くことになる。
【００３０】
図４ａ及び図４ｂは、前記把持部材３に着脱可能な表示ユニット４の外観斜視図である。前記表示ユニット４は、表示部４１と、カメラ機能操作部群４２と、蓋４３に保護された図示されていない音声入力操作部群と、外部マイクホルダー４４と、前記表示ユニット４を前記把持部材３に取り付けるための第一の取り付け構造４５と、前記表示ユニット４を前記把持部材３に取り付けるための第二の取り付け構造４６と、映像及び音声を前記撮像装置１とやり取りするためのコネクタを保護する保護カバー群４７と、前記外部マイクホルダー４４に保持されたマイクで収録した音声を前記表示ユニット４内の音声回路に入力するための図示されていないコネクタを保護する音声信号入力用コネクタ保護カバー４８と、を有する。
【００３１】
前記第一の取り付け構造４５は、前記アクセサリーシュー３３１，３３２，３３３に勘合するシューフット４５１と締め付けによって前記表示ユニット４を前記把持部材３に対して固定するネジ部４５２とを有する。
【００３２】
同様に、前記第一の取り付け構造４６は前記アクセサリーシュー３３１，３３２，３３３に勘合するシューフット４６１と締め付けによって前記表示ユニット４を前記把持部材３に対して固定するネジ部４６２とを有する。
【００３３】
また、前記表示ユニット４と前記撮像装置本体との映像、音声のやりとりは図示されていない着脱可能なケーブルをそれぞれに接続して行われる。
【００３４】
次に本発明における前記撮像装置１と前記アクセサリー取り付け部品２の接続について説明する。図５ａは前記撮像装置１に前記アクセサリー取り付け部品２を取り付け作業時の状態を示した前方からの外観斜視図である。図５ｂは前記撮像装置１に前記アクセサリー取り付け部品２を取り付けた後の状態を示した前方からの外観斜視図、図５ｃは同状態の上方からの外観正面図、図５ｄは同状態の被写体側からの外観正面図である。図５ｅは図５ｃのＣ−Ｃ'断面図である。線Ｃ−Ｃ’は、第一の六角穴付きボルト５１１、第二の六角穴付きボルト５１２、第三の六角穴付きボルト５１３の各中心を通る。
【００３５】
図５ａ〜図５ｅに示すように、前記アクセサリー取り付け部品２は前記撮像装置１との第一接触部２５１で接触した状態である。その上で、前記第一の六角穴付きボルト５１１、前記第二の六角穴付きボルト５１２、前記第三の六角穴付きボルト５１３はそれぞれ、前記アクセサリー取り付け部品２に設けられた前記第一のヘコ座２１１、前記第二のヘコ座２１２、前記第三のヘコ座２１３の丸穴部を挿通されて、それぞれ前記撮像装置１に設けられた前記第一の接続部１８１のネジ部１８１１、前記第二の接続部１８２のネジ部１８２１、前記第三の接続部１８３のネジ部１８３１に螺合して接続される。
【００３６】
図５ｆは図５ｄのＤ−Ｄ'断面図、図５ｇは図４ｄのＥ−Ｅ’断面図である。図５ｆ及び図５ｇに示すように、図５ａ〜ｄに示す状態において前記撮像装置１の第二の接続部１８２及び第三の接続部１８３はそれぞれ、前記アクセサリー取り付け部品２に設けられた第一の勘合部２５２及び第二の勘合部２５３と勘合する。
【００３７】
合わせて、前記アクセサリー取り付け部品２と前記把持部材３との接続について説明する。図６ａは、図５ｂに示した前記撮像装置１に前記アクセサリー取り付け部品２を取り付けた状態から更に前記把持部材３を前記アクセサリー取り付け部品２に取り付ける際の状態を示した図である。図６ｂは、図６ａに示した作業が完了し前記把持部材３が前記アクセサリー取り付け部品２に取り付いた状態の図である。また、図６ｃは前記把持部材３を前記アクセサリー取り付け部品２に対して図３ｄに示した一点鎖線Ｓ２を中心に１８０度回転させて逆向きに取り付けた後の図である。
【００３８】
図６ａ〜図６ｂに示すように、前記把持部材３は、前記アクセサリー取り付け部品２に対して、六角穴付きボルト６１１が前記第一の接続部３１１の前記丸穴３１１２を挿通して前記第一の把持部材接続部２３１の前記ネジ部２３１２に締結され、六角穴付きボルト６１２が前記第二の接続部３１２の前記丸穴３１２２を挿通して前記第二の把持部材接続部２３２の前記ネジ部２３２２に締結されて接続される。
【００３９】
また、前記トツ部３１１１は前記ヘコ部２３２１にも勘合し前記トツ部３１２１は前記ヘコ部２３１１にも勘合するので、図６ａに示したのと同じ要領で図６ｃに示したように前記把持部材３を前後１８０度逆向きに前記アクセサリー取り付け部品２に対して取り付けられる。
【００４０】
既に述べたように前記アクセサリーシュー３３１，３３２，３３３はいずれも図３ｄの一点鎖線Ｓ２に対して非対称に存在するため、図６ｂに示した状態と図６ｃに示した状態では、全てのアクセサリーシューの位置が異なる。
【００４１】
図７ａは図６ｂに示した状態から前記第一のアクセサリーシュー３３１に前記表示ユニット４をシューフット４５１とネジ部４５２とで固定して装着した状態を示した斜視図、図７ｂは図６ｂに示した状態から前記第二のアクセサリーシュー３３２に前記表示ユニット４をシューフット４６１とネジ部４６２とで固定して装着した状態を示した斜視図、図７ｃは図６ｂに示した状態から前記第三のアクセサリーシュー３３３に前記表示ユニット４をシューフット４６１とネジ部４６２とで固定して装着した状態を示した斜視図である。
【００４２】
また、図７ｄは図６ｃに示した状態から前記第三のアクセサリーシュー３３３に前記表示ユニット４をシューフット４５１とネジ部４５２とで固定して装着した状態を示した斜視図、図７ｅは図６ｃに示した状態から前記第二のアクセサリーシュー３３２に前記表示ユニット４をシューフット４６１とネジ部４６２とで固定して装着した状態を示した斜視図、図７ｆは図６ｃに示した状態から前記第一のアクセサリーシュー３３１に前記表示ユニット４をシューフット４６１とネジ部４６２とで固定して装着した状態を示した斜視図である。
【００４３】
図７ａ〜ｆに示したように、本発明では前記把持部材３の取り付けの向きとそれによる前記アクセサリーシュー３３１、３３２，３３３の位置の組み合わせにより最低でも６通り前記撮像装置１に対して前記表示ユニット４の位置を選択可能である。
【００４４】
結果、図８に示した先行例に比較して撮影者は前記表示ユニット４の位置を調整しやすくなり撮影の自由度が高まることになる。
【００４５】
なお、本発明は、同等の効果をもたらす限りにおいて本実施例の形態に限定されない。
【符号の説明】
【００４６】
１  撮像装置、１１  マウント部、１２  レンズリリースボタン、
１３  第一の操作部群、１４  モード切り換えダイヤル、１５  メジャーピン、
１６１，１６２  ストラップ取り付け金具、１７  接眼ユニット、
１８１  アクセサリー取り付け部品２との第一の接続部、
１８２  アクセサリー取り付け部品２との第二の接続部、
１８３  アクセサリー取り付け部品２との第三の接続部、
１８１１，１８２１，１８３１  ネジ部、１９  強制空冷の吸気口、
１１０，１１１  操作ボタン、１１２  第二の操作部群、１１３  表示部、
１１４１  第一のメディアスロット蓋部、１１４２  第二のメディアスロット蓋部、
１１５  バッテリー蓋、１１６  保護カバー群、１１７  強制空冷の排気口、
１１８  グリップ接続部、２  アクセサリー取り付け部品、
２１１  丸穴を有する第一のヘコ座、２１２  丸穴を有する第二のヘコ座、
２１３  丸穴を有する第三のヘコ座、２２１  第一のネジ部、
２２２  第二のネジ部、２２３  第三のネジ部、２２４  第四のネジ部、
２２５  第五のネジ部、２２６  第六のネジ部、２３１  第一の把持部材接続部２３１、
２３２  第二の把持部材接続部２３２、２３１１，２３２１  ヘコ部、
２３１２，２３２２  ネジ部、２４１，２４２  丸穴、２５１  第一の接触部、
２５２  第一の勘合部、２５２１，２５２２  第一の勘合部２５２の面、
２５３  第二の勘合部、２５３１，２５３２  第二の勘合部２５３の面、
３  把持部材、３１１  第一の接続部、３１２  第二の接続部、
３１１１，３１２１  トツ部、３１１２，３１２２  穴部、
３２１  第五のネジ部、３２２  第六のネジ部、３２３  第七のネジ部、
３２４  第八のネジ部、３２５  第九のネジ部、３２６  第十のネジ部、
３３１  内側にネジ部を有する第一のアクセサリーシュー、
３３２  内側にネジ部を有する第二のアクセサリーシュー、
３３３  内側にネジ部を有する第三のアクセサリーシュー、４  表示ユニット、
４１  表示部、４２  カメラ機能操作部群、４３  音声入力操作部群の保護蓋、
４４  外部マイクホルダー、４５  第一の取り付け構造、４６  第二の取り付け構造、
４７  映像及び音声を前記撮像装置１とやり取りするためのコネクタを保護する保護カバー群、８  音声信号入力用コネクタの保護カバー、
５１１，５１２，５１３，６１１，６１２  六角穴付きボルト
【図１ａ】
2016128851.tif 000003
【図１ｂ】
2016128851.tif 000004
【図２ａ】
2016128851.tif 000005
【図２ｂ】
2016128851.tif 000006
【図２ｃ】
2016128851.tif 000007
【図３ａ】
2016128851.tif 000008
【図３ｂ】
2016128851.tif 000009
【図３ｃ】
2016128851.tif 000010
【図３ｄ】
2016128851.tif 000011
【図４ａ】
2016128851.tif 000012
【図４ｂ】
2016128851.tif 000013
【図５ａ】
2016128851.tif 000014
【図５ｂ】
2016128851.tif 000015
【図５ｃ】
2016128851.tif 000016
【図５ｄ】
2016128851.tif 000017
【図５ｅ】
2016128851.tif 000018
【図５ｆ】
2016128851.tif 000019
【図５ｇ】
2016128851.tif 000020
【図６ａ】
2016128851.tif 000021
【図６ｂ】
2016128851.tif 000022
【図６ｃ】
2016128851.tif 000023
【図７ａ】
2016128851.tif 000024
【図７ｂ】
2016128851.tif 000025
【図７ｃ】
2016128851.tif 000026
【図７ｄ】
2016128851.tif 000027
【図７ｅ】
2016128851.tif 000028
【図７ｆ】
2016128851.tif 000029
【図８ａ】
2016128851.tif 000030
【図８ｂ】
2016128851.tif 000031
【図８ｃ】
2016128851.tif 000032